(57)【要約】【課題】接続するだけでマイクロフォンの諸設定を自動で実施する、簡便且つ事故が生じ難いマイクロフォン及びオーディオ信号処理装置を提供する。【解決手段】マイクロフォンには、設定されるべき設定値を記憶したＲＯＭと、このＲＯＭの内容を信号として伝送するデータ信号出力部を設ける。オーディオ信号処理装置には、マイクロフォンのデータ信号出力部が送信したデータ信号を受信するデータ受信部と、データ信号に基づいてマイクアンプの設定を実行する制御部を設ける。【選択図】図２
2011101318.tif 000002
【特許請求の範囲】
【請求項１】
マイクユニットと、
前記マイクユニットの信号を出力するコネクタと、
機器に接続されたことを検出すると、入力インピーダンス値及び入力ゲイン値に関する情報をデータ信号として生成するデータ信号出力部と
を具備するマイクロフォン。
【請求項２】
前記コネクタは平衡型であり、
前記データ信号出力部はファンタム電源の有無も検出する、
請求項１記載のマイクロフォン。
【請求項３】
更に、
前記データ信号を出力するデータ信号出力コネクタと
を具備する、請求項２記載のマイクロフォン。
【請求項４】
更に、
前記平衡型コネクタに外部機器が接続されたことを検出する接続判定部と
を備え、
前記データ信号出力部は前記データ信号を前記平衡型コネクタを通じて前記外部機器に出力する、請求項２記載のマイクロフォン。
【請求項５】
前記接続判定部は、前記平衡型コネクタに印加される前記ファンタム電源の電圧の高低を以って接続の判定を行う、請求項４記載のマイクロフォン。
【請求項６】
前記接続判定部は、前記平衡型コネクタを通じて前記外部機器から受信する所定の信号を検出して接続の判定を行う、請求項４記載のマイクロフォン。
【請求項７】
マイクロフォンの信号が入力される、ホット側ラインとコールド側ラインを備える平衡型コネクタと、
前記マイクロフォンの信号を増幅するマイクアンプと、
所定の制御信号を受けて、前記平衡型コネクタの前記ホット側ラインと前記コールド側ラインにファンタム電源電圧を供給するファンタム電源切替部と、
前記平衡型コネクタの前記ホット側ラインと前記コールド側ラインと前記マイクアンプに接続され、所定の制御信号を受けて、前記マイクアンプの入力インピーダンスを切り替えるインピーダンス切替部と、
前記マイクアンプに接続され、所定の制御信号を受けて、前記マイクアンプのゲインを切り替えるゲイン切替部と、
ファンタム電源の有無、入力インピーダンス値及び入力ゲイン値に関する情報が含まれるデータ信号を受信するデータ受信部と、
前記データ受信部から得られる前記データ信号に基づいて、前記ファンタム電源切替部、前記インピーダンス切替部及び前記ゲイン切替部に制御信号を供給する制御部と
を具備するオーディオ信号処理装置。
【請求項８】
更に、
前記制御部に接続され、時間の経過を通知するタイマと、
前記制御部に接続され、前記ファンタム電源切替部、前記インピーダンス切替部及び前記ゲイン切替部に対する設定の内容を表示する表示部と、
前記制御部に接続され、前記制御部が前記タイマによって自動設定の待ち時間を経過したことを受けて、前記ファンタム電源切替部、前記インピーダンス切替部及び前記ゲイン切替部に対して手動にて設定を実行するための操作部と
を具備する、請求項７記載のオーディオ信号処理装置。
【請求項９】
更に、
前記データ受信部が接続されて前記データ信号が入力されるデータ信号入力コネクタと
を具備する、請求項８記載のオーディオ信号処理装置。
【請求項１０】
前記データ受信部は前記データ信号を前記マイクアンプを通じて得る、請求項８記載のオーディオ信号処理装置。
【発明の詳細な説明】
【技術分野】
【０００１】
本発明は、マイクロフォン及びオーディオ信号処理装置に関する。より詳細には、業務用マイクロフォンに接続される信号処理装置の、マイクロフォン入力回路系統の自動設定に関する。
【背景技術】
【０００２】
舞台、ライブ会場、レコーディング現場、或は放送業界等の、業務用途のオーディオ製品は、ケーブルを長く引き回すことが多く、またノイズに対する要求が厳しい。このため、業務用途のオーディオ製品の信号入出力には、平衡回路を接続するためにＸＬＲタイプコネクタが業界標準として普及している。特に、マイクロフォンではホット側ピン（２番ピン）とコールド側ピン（３番ピン）に＋４８Ｖの直流電圧を印加して、コンデンサマイクユニットのバイアス電圧源及びプリアンプの電源に利用する、ファンタム電源を用いた接続方法が一般的である。
【０００３】
ところで、業務用放送業界では、持ち運びに便利な携帯型フィールドレコーダが普及している。例えば、出願人は非特許文献１にあるような、フラッシュメモリを記録媒体に用いたデジタルオーディオレコーダを製造、販売している。
非特許文献１に示すデジタルオーディオレコーダは、アダプタを併用することで、ＸＬＲタイプコネクタを使用するマイクロフォンを接続して利用できる。
【先行技術文献】
【特許文献】
【０００４】
【特許文献１】特開２００９−１５２００５号公報
【非特許文献】
【０００５】
【非特許文献１】PCM-D1PRO | 商品情報 | 業務用オーディオ | 放送・業務用| ソニー:［２００９年１０月２１日検索］、インターネット＜http://www.ecat.sony.co.jp/professional/audio/products/index.cfm?PD=28697&KM=PCM-D1PRO＞
【発明の概要】
【発明が解決しようとする課題】
【０００６】
周知のように、マイクロフォンには低インピーダンスで比較的高出力、そしてファンタム電源が不要なダイナミック型と、高インピーダンスでプリアンプが必要、そしてファンタム電源が必須のコンデンサ型が存在する。また、コンデンサ型マイクロフォンに用いられるマイクユニットには、安価なエレクトレットコンデンサマイクと、エレクトレットを用いないコンデンサマイクが存在する。コンデンサ型マイクロフォンは、マイクユニットの種別のみならず、インピーダンスを変換して信号を増幅するプリアンプの特性によっても様々な種類が存在する。
このような、様々なマイクロフォンが接続されるフィールドレコーダを始めとする機器は、マイクロフォンの種別や特性に応じて、ファンタム電源のオン・オフ、最適な入力インピーダンスの選択、最適なマイクアンプのゲイン調整が必要になる。
業務用途の機器は、頻繁に様々な種別のマイクロフォンが接続されるので、マイクロフォンを取り替える度にこれら調整を手動で実施することは煩雑であると共に、設定ミスに起因する機器の破損の危険性もある。
【０００７】
本発明はかかる点に鑑みてなされたものであり、接続するだけでマイクロフォンの諸設定を自動で実施する、簡便且つ事故が生じ難いマイクロフォン及びオーディオ信号処理装置を提供することを目的とする。
【課題を解決するための手段】
【０００８】
上記課題を解決するために、本発明のマイクロフォンは、マイクユニットと、マイクユニットの信号を出力するコネクタと、機器に接続されたことを検出すると、入力インピーダンス値及び入力ゲイン値に関する情報をデータ信号として生成するデータ信号出力部とを具備する。
【０００９】
また、上記課題を解決するために、本発明のオーディオ信号処理装置は、マイクロフォンの信号が入力される、ホット側ラインとコールド側ラインを備える平衡型コネクタと、マイクロフォンの信号を増幅するマイクアンプと、所定の制御信号を受けて、平衡型コネクタのホット側ラインとコールド側ラインにファンタム電源電圧を供給するファンタム電源切替部と、平衡型コネクタのホット側ラインとコールド側ラインとマイクアンプに接続され、所定の制御信号を受けて、マイクアンプの入力インピーダンスを切り替えるインピーダンス切替部と、マイクアンプに接続され、所定の制御信号を受けて、マイクアンプのゲインを切り替えるゲイン切替部と、ファンタム電源の有無、入力インピーダンス値及び入力ゲイン値に関する情報が含まれるデータ信号を受信するデータ受信部と、データ受信部から得られるデータ信号に基づいて、ファンタム電源切替部、インピーダンス切替部及びゲイン切替部に制御信号を供給する制御部とを具備する。
【００１０】
マイクロフォンには、設定されるべき設定値を記憶したＲＯＭと、このＲＯＭの内容を信号として伝送するデータ信号出力部を設ける。
オーディオ信号処理装置には、マイクロフォンのデータ信号出力部が送信したデータ信号を受信するデータ受信部と、データ信号に基づいてマイクアンプの設定を実行する制御部を設ける。
【発明の効果】
【００１１】
本発明により、接続するだけでマイクロフォンの諸設定を自動で実施する、簡便且つ事故が生じ難いマイクロフォン及びオーディオ信号処理装置を提供できる。
【図面の簡単な説明】
【００１２】
【図１】本発明の第一の実施形態に係るフィールドレコーダの外観斜視図である。
【図２】本実施形態に係るマイクロフォン及びフィールドレコーダのブロック図である。
【図３】本実施形態に係るフィールドレコーダ及びアダプタのブロック図である。
【図４】ファンタム電源切替部、インピーダンス切替部及びゲイン切替部の詳細を示す図である。
【図５】アダプタに設けられているＸＬＲレセプタクルと接続検出部の詳細を示す図である。
【図６】制御部が実行する、マイクロフォンの自動設定の手順を示すフローチャートである。
【図７】制御部が実行する、設定処理の手順を示すフローチャートである。
【図８】本発明の第二の実施形態に係るコンデンサマイクロフォンのブロック図である。
【図９】本発明の第二の実施形態に係るフィールドレコーダ及びアダプタのブロック図である。
【図１０】ファンタム電源切替部、インピーダンス切替部及びゲイン切替部の詳細を示す図である。
【図１１】制御部が実行する、マイクロフォンの自動設定の手順を示すフローチャートの一部である。
【図１２】制御部が実行する、設定処理の手順を示すフローチャートの一部である。
【発明を実施するための形態】
【００１３】
［第一の実施形態：信号線とは別の経路でデータ伝送を実施する実施形態］
図１は、本発明の第一の実施形態に係るフィールドレコーダの外観斜視図である。
フィールドレコーダ１０１はフラッシュメモリを記録媒体として用いるデジタルオーディオレコーダである。このフィールドレコーダ１０１には、アダプタ１０２が接続される。アダプタ１０２は２個のＸＬＲレセプタクルを備え、ＸＬＲケーブルコネクタ１０３が接続される。
【００１４】
アダプタ１０２は乾電池を複数個収容する電池ボックスを内蔵しており、乾電池からファンタム電源を生成して、ＸＬＲレセプタクルを通じて接続されるマイクロフォンにファンタム電源を供給する。
アダプタ１０２には表示部ともいえる液晶ディスプレイ１０４と操作部ともいえる操作ボタン１０５が設けられている。液晶ディスプレイ１０４は現在接続されているマイクロフォンの設定内容を表示する。また、接続されているマイクロフォンが本実施形態に係る自動設定対応型マイクロフォンである場合は、自動設定である旨を示す「ＡＵＴＯ」の文字列を表示する。
操作ボタン１０５は、現在接続されているマイクロフォンが本実施形態に係る自動設定対応型マイクロフォンでない場合に、手動設定にて種々の設定を行うために設けられている。
【００１５】
図２は、本実施形態に係るマイクロフォン及びフィールドレコーダ１０１のブロック図である。
マイクロフォン２０１には、マイクユニット２０２が内蔵されている。マイクユニット２０２が生成する音声信号は、平衡アンプ２０３で増幅される。平衡アンプ２０３は周知の平衡信号を出力する増幅器であり、二本の出力ラインはグランドに対して互いに位相が逆の信号を出力する。
平衡アンプ２０３で増幅された信号はカップリングコンデンサＣ２０４及びＣ２０５を介し、ＸＬＲケーブル２０６を通じて外部の機器へ出力される。ＸＬＲケーブル２０６のホット側ライン２０７とコールド側ライン２０８にはアダプタ１０２から＋４８Ｖの電圧が印加されているので、この電力を抵抗Ｒ２０９及びＲ２１０を通じて平衡アンプ２０３に供給する。
【００１６】
一方、ＸＬＲケーブル２０６の信号経路とは独立して、データ信号出力部２１１が設けられている。データ信号出力部２１１はＲＯＭ２１２を内蔵しており、データ信号出力コネクタ２１３から電源供給を受けると、ＲＯＭ２１２の内容をデータ信号出力コネクタ２１３を通じて外部の機器へ出力する。
ＲＯＭ２１２の内容は、マイクロフォン２０１が接続される機器に設定される必要のある、「ファンタム電源の有無」、「マイクアンプの入力インピーダンスの設定」、「マイクアンプのゲインの設定」の、三つの設定内容である。
【００１７】
以上に示したＲＯＭ２１２の内容を接続される機器に送信するために、データ信号出力部２１１はＲＯＭ２１２の内容であるデジタルデータに基づいて、所定の変調を施した信号を出力する。変調方式は、ＦＳＫ（Frequency Shift Keying）やＯＦＤＭ（Orthogonal frequency division multiplex）等の種々の変調方式が利用可能である。
マイクロフォン２０１と機器を接続する、データ信号出力コネクタ２１３を含む接続手段には、周知のミニプラグ等が利用できる。
或は、周知のＵＳＢを用いることもできる。ＵＳＢを使用する場合は、ＵＳＢの規格に沿ってデータ転送を実施することが望ましい。
上述に限らず、信号経路を長く引き回してもよいシリアルインターフェースであれば、変調方式やコネクタ形状等は特に問わない。
【００１８】
図３は、本実施形態に係るフィールドレコーダ１０１及びアダプタ１０２のブロック図である。
ＸＬＲレセプタクル２１５の２番ピン（ホット側ライン２０７）と３番ピン（コールド側ライン２０８）は、インピーダンス切替部３０１を通じてマイクアンプ３０２が接続される。また、ホット側ライン２０７とコールド側ライン２０８にはファンタム電源切替部３０３が接続されている。マイクアンプ３０２にはゲイン切替部３０４が設けられている。
一方、データ信号入力コネクタ２１４にはデータ受信部３０５が接続されており、データ受信部３０５には周知のマイコンよりなる制御部３０６が接続されている。
【００１９】
制御部３０６は、ＸＬＲレセプタクル２１５に設けられている接続検出部３０７から接続検出信号を受けると、マイクロフォン２０１のデータ信号出力部２１１から送信されるマイク設定情報をデータ受信部３０５から受けて、ファンタム電源切替部３０３、インピーダンス切替部３０１及びゲイン切替部３０４を制御する。
また、制御部３０６は自動設定に非対応のマイクロフォン２０１の接続を受け入れて手動の設定を行うために、タイマ３０８と、操作部３０９と、表示部３１０が接続されている。
マイクアンプ３０２の出力信号は、フィールドレコーダ１０１内部のＡ／Ｄ変換器３１１を通じて記録部３１２に送られる。なお、モニタ等の信号経路は割愛する。
【００２０】
図４は、ファンタム電源切替部３０３、インピーダンス切替部３０１及びゲイン切替部３０４の詳細を示す図である。
ファンタム電源切替部３０３は、ファンタム電源を供給する電圧源のラインに接続される電源供給スイッチ４０１と、電源供給スイッチ４０１とホット側ライン２０７とコールド側ライン２０８にそれぞれ接続される抵抗Ｒ４０２及びＲ４０３よりなる。制御部３０６が電源供給スイッチ４０１をオン・オフ制御することで、ファンタム電源電圧の、ホット側ライン２０７とコールド側ライン２０８への供給が制御される。
【００２１】
インピーダンス切替部３０１は、ホット側ライン２０７に接続される抵抗Ｒ４０４及びＲ４０５と、この抵抗Ｒ４０４及びＲ４０５をオペアンプであるマイクアンプ３０２のプラス側入力端子に選択的に接続する切替スイッチ４０６と、コールド側ライン２０８に接続される抵抗Ｒ４０７及びＲ４０８と、この抵抗Ｒ４０７及びＲ４０８をマイクアンプ３０２のマイナス側入力端子に選択的に接続する切替スイッチ４０９よりなる。
【００２２】
切替スイッチ４０６及び切替スイッチ４０９は、制御部３０６によって連動して切替制御される。切替スイッチ４０６及び切替スイッチ４０９で抵抗Ｒ４０４及びＲ４０５と、抵抗Ｒ４０７及びＲ４０８を切り替えることで、マイクアンプ３０２の入力インピーダンスを変更する。
【００２３】
ゲイン切替部３０４は、マイクアンプ３０２のマイナス側入力端子に接続される抵抗Ｒ４１０及びＲ４１１と、この抵抗Ｒ４１０及びＲ４１１をマイクアンプ３０２の出力端子に選択的に接続する切替スイッチ４１２よりなる。切替スイッチ４１２で抵抗Ｒ４１０及びＲ４１１を切り替えることで、マイクアンプ３０２の帰還抵抗の値が切り替わり、ゲインが変更される。
【００２４】
図５は、アダプタ１０２に設けられているＸＬＲレセプタクル２１５と接続検出部３０７の詳細を示す図である。
ＸＬＲレセプタクル２１５ａ及び２１５ｂには周縁の筒５０１ａ及び５０１ｂに切
り欠き５０２ａ、５０２ｂ、５０２ｃ及び５０２ｄが設けられており、この切り欠きを通過するように、発光ダイオード５０３と、反射板５０４と、フォトトランジスタ５０５ａ及び５０５ｂが設けられている。
ＸＬＲレセプタクル２１５ａにＸＬＲコネクタを差し込むと、切り欠き５０２ａ及び５０２ｂを通過している光がＸＬＲコネクタによって遮られる。フォトトランジスタ５０５ａは光が遮られたことでＸＬＲコネクタの接続を検出する。
このＸＬＲレセプタクル２１５は、特許文献１に開示されている。
【００２５】
図６は、制御部３０６が実行する、マイクロフォン２０１の自動設定の手順を示すフローチャートである。
フィールドレコーダ１０１が起動すると（Ｓ６０１）、制御部３０６は接続検出部３０７を確認して、ＸＬＲレセプタクル２１５にＸＬＲコネクタが差し込まれたか、つまりマイクロフォン２０１が接続されたか否かを確認する（Ｓ６０２）。
マイクロフォン２０１の接続を確認したら（Ｓ６０２のＹＥＳ）、制御部３０６は次にデータ受信部３０５を通じてデータの受信を開始すると共に、タイマ３０８を起動する（Ｓ６０３）。
【００２６】
これ以降はループ処理である。
制御部３０６は、先ずデータ受信部３０５がマイクロフォン２０１から送られた設定情報のデータを受信できたか否か、確認する（Ｓ６０４）。もし、受信できたのであれば（Ｓ６０４のＹＥＳ）、後述する設定処理を実行して（Ｓ６０５）、その設定内容を表示部３１０に表示して（Ｓ６０６）、処理を終了する（Ｓ６０７）。
【００２７】
ステップＳ６０４で設定情報のデータを受信できなかった場合は（Ｓ６０４のＮＯ）、制御部３０６はタイマ３０８の値を確認して、予め定めた規定の時間に達したか、つまりタイムアウトになったか否かを確認する（Ｓ６０８）。タイムアウトの時間は例えば１０秒である。タイムアウトになった場合（Ｓ６０８のＹＥＳ）、制御部３０６は表示部３１０にエラーメッセージを表示して（Ｓ６０９）、予め定めた規定値を仮に設定した上で、操作部３０９による手動設定を可能にして（Ｓ６１０）、処理を終了する（Ｓ６０７）。
【００２８】
ステップＳ６０８でタイムアウトに至っていなければ（Ｓ６０８のＮＯ）、制御部３０６は操作部３０９を確認して、使用者が割り込み操作を行っているか否かを確認する（Ｓ６１１）。これは、タイムアウトの１０秒を待たずに手動設定を行いたい時に、操作部３０９の特定のキーを操作することで、即座に手動設定を実行するためである。割り込み操作が行われていれば（Ｓ６１１のＹＥＳ）、操作部３０９による手動設定を可能にして（Ｓ６１０）、処理を終了する（Ｓ６０７）。割り込み操作が行われていなければ（Ｓ６１１のＮＯ）、再度ステップＳ６０４に戻り、処理を継続する。
【００２９】
図７は、制御部３０６が実行する、設定処理の手順を示すフローチャートである。図６のステップＳ６０５の詳細である。
処理を開始すると（Ｓ７０１）、制御部３０６はデータ受信部３０５が受信したデータに基づいて、ファンタム電源が必要であるか否かを確認する（Ｓ７０２）。ファンタム電源が必要であれば（Ｓ７０２のＹＥＳ）、制御部３０６はファンタム電源切替部３０３のスイッチをオン制御してファンタム電源をＸＬＲケーブル２０６のホット側ライン２０７及びコールド側ライン２０８に印加する（Ｓ７０３）。ファンタム電源が不要であれば（Ｓ７０２のＮＯ）、制御部３０６はファンタム電源切替部３０３のスイッチをオフ制御する（Ｓ７０４）。
【００３０】
次に、制御部３０６はデータ受信部３０５が受信したデータに基づいて、マイクロフォン２０１のインピーダンスの値を確認する（Ｓ７０５）。本実施形態では簡略化のため、入力インピーダンスを低インピーダンスと高インピーダンスとに区別し、区別のための閾値として、例えば１ｋΩという値を予め定めているとする。
データ受信部３０５が受信したデータにはマイクロフォン２０１のインピーダンスが記述されており、制御部３０６はこのインピーダンス値を閾値と比較する。もし、インピーダンス値が閾値以上である場合なら（Ｓ７０５のＹＥＳ）、制御部３０６は高いインピーダンスである第一インピーダンス値に、切替スイッチを切り替える（Ｓ７０６）。インピーダンス値が閾値未満である場合なら（Ｓ７０５のＮＯ）、制御部３０６は低いインピーダンスである第二インピーダンス値に、切替スイッチを切り替える（Ｓ７０７）。
【００３１】
次に、制御部３０６はデータ受信部３０５が受信したデータに基づいて、マイクアンプ３０２のゲインの値を確認する（Ｓ７０８）。本実施形態では簡略化のため、ゲインを低ゲインと高ゲインとに区別し、区別のための閾値として、例えばマイクロフォン２０１の出力クリッピングレベルに−１０ｄＢＶという値を予め定めているとする。
データ受信部３０５が受信したデータにはマイクロフォン２０１の出力クリッピングレベルが記述されており、制御部３０６はこの出力クリッピングレベルを閾値と比較する。もし、出力クリッピングレベルが閾値以上である場合なら（Ｓ７０８のＹＥＳ）、制御部３０６は低いゲインである第一ゲイン値に、切替スイッチを切り替える（Ｓ７０９）。出力クリッピングレベルが閾値未満である場合なら（Ｓ７０８のＮＯ）、制御部３０６は高いゲインである第二インピーダンス値に、切替スイッチを切り替える（Ｓ７１０）。
以上のステップを経て、制御部３０６は一連の処理を終了する（Ｓ７１１）。
【００３２】
ステップＳ７０２、Ｓ７０３及びＳ７０４は、ファンタム電源のオン・オフの選択なので、基本的にこれ以上の選択はないが、ステップＳ７０５、Ｓ７０６及びＳ７０７に示すインピーダンスの設定と、ステップＳ７０８、Ｓ７０９及びＳ７１０に示すゲインの設定は、切替スイッチのタップ数及び抵抗の数を増やして、閾値を複数設定することで、３種類以上の値を選択することができる。
【００３３】
以上に説明した第一の実施形態に係るマイクロフォン２０１では、フィールドレコーダ１０１に接続されるアダプタ１０２に、周知の放送関連機器と同様にＸＬＲケーブル２０６で接続する。それと共に、アダプタ１０２に設けられているデータ信号入力コネクタ２１４とマイクロフォン２０１に設けられているデータ信号出力コネクタ２１３とを専用のデータ転送ケーブル２１７で接続する。
データ信号出力部２１１は、アダプタ１０２内部のデータ受信部２１４との接続を検出すると、内蔵するＲＯＭ２１２に書き込まれているマイクロフォン２０１のための設定情報をデータ信号に変換して、データ転送ケーブル２１７を通じてアダプタ１０２に送信する。
制御部３０６は、データ受信部２１４が受信したデータ信号の内容に基づいて、インピーダンス切替部３０１、ファンタム電源切替部３０３及びゲイン切替部３０４に適切な設定制御を実行する。すなわち、マイクロフォン２０１に適した自動設定が完遂する。
【００３４】
［第二の実施形態：信号線にデータ伝送を重畳する実施形態］
第一の実施形態では、マイクロフォン２０１の設定情報をフィールドレコーダ１０１等の機器に送信するために、専用のデータ伝送経路をマイクロフォン２０１とフィールドレコーダ１０１に設けた。これに対し、専用のデータ伝送経路を設けず、既存のＸＬＲケーブル２０６をデータ伝送にも兼用することが考えられる。
図８は、本発明の第二の実施形態に係るコンデンサマイクロフォンのブロック図である。
図９は、本発明の第二の実施形態に係るフィールドレコーダ及びアダプタのブロック図である。
図８のコンデンサマイクロフォン８０１は、図９のフィールドレコーダ１０１にＸＬＲケーブル２０６だけで接続される。
【００３５】
図８の、コンデンサマイクロフォン８０１のブロック図について説明する。
ＸＬＲレセプタクル２１６に接続されるホット側ライン２０７とコールド側ライン２０８には、ファンタム電源を取り出すための抵抗Ｒ２０９及びＲ２１０が接続されている。この抵抗Ｒ２０９及びＲ２１０を通じてファンタム電源電圧が平衡アンプ２０３とコンデンサマイクユニット８０２に印加される。
【００３６】
一方、ファンタム電源電圧は接続判定部ともいえる電圧判定部８０３にも供給される。電圧判定部８０３はファンタム電源電圧が規定の＋４８Ｖであるか、それとも低電圧（例えば＋５Ｖ）であるか、判定する。もし、低電圧であった場合は、データ信号出力部２１１にデータ信号を出力させるべく制御する。
【００３７】
データ信号出力部２１１は、内蔵するＲＯＭ２１２に格納されているデータに基づいて、所定の変調方式で変調した信号を生成する。この信号は平衡アンプ２０３の入力端子に印加されるので、平衡アンプ２０３を通じてＸＬＲケーブル２０６を伝わり、接続される機器（本実施形態であれば図９に示すフィールドレコーダ１０１）に送信される。
【００３８】
図９の、フィールドレコーダとアダプタのブロック図について説明する。但し、図３の、第一の実施形態のフィールドレコーダ１０１と同一のブロックについては説明を省略する。
図９のフィールドレコーダ９０１とアダプタ９０２の、図３のフィールドレコーダ１０１とアダプタ１０２との最大の相違点は、データ受信部３０５がマイクアンプ３０２の出力端子に接続されていることと、Ａ／Ｄ変換器３１１に制御部３０６からミュートのための制御信号が供給されていることである。これ以外は、実質的な相違点はない。
【００３９】
図１０は、ファンタム電源切替部、インピーダンス切替部及びゲイン切替部の詳細を示す図である。但し、図４の、第一の実施形態のファンタム電源切替部９０３、インピーダンス切替部３０１及びゲイン切替部３０４と同一のブロックについては説明を省略する。
図１０と図４の最大の相違点は、ファンタム電源切替部９０３が＋４８Ｖと０Ｖの他に＋５Ｖを供給できるように、低電圧源ラインが追加され、電源供給スイッチ４０１が電源切替スイッチ１００３になっている点である。これ以外の、インピーダンス切替部３０１及びゲイン切替部３０４は、図４のインピーダンス切替部３０１及びゲイン切替部３０４と相違点はない。
【００４０】
図１１は、制御部３０６が実行する、マイクロフォン２０１の自動設定の手順を示すフローチャートの一部である。図６に示したフローチャートのうち、異なる部分だけを抜粋して示している。すなわち、第二の実施形態のフィールドレコーダ１０１の制御部３０６は、図６のステップＳ６０３に代えて、図１１に示すステップＳ１１０３を実行する。
フィールドレコーダ１０１が起動すると（Ｓ６０１）、制御部３０６は接続検出部３０７を確認して、ＸＬＲレセプタクル２１５にＸＬＲコネクタが差し込まれたか、つまりマイクロフォン２０１が接続されたか否かを確認する（Ｓ６０２）。
マイクロフォン２０１の接続を確認したら（Ｓ６０２のＹＥＳ）、制御部３０６は次にファンタム電源切替部３０３を制御して、低電圧（本実施形態では＋５Ｖ）をホット側ライン２０７及びコールド側ライン２０８に印加して、データ受信部３０５を通じてデータの受信を開始すると共に、タイマ３０８を起動する（Ｓ１１０３）。
【００４１】
図１２は、制御部３０６が実行する、設定処理の手順を示すフローチャートの一部である。図７に示したフローチャートのうち、異なる部分だけを抜粋して示している。すなわち、第二の実施形態のフィールドレコーダ１０１の制御部３０６は、図７のステップＳ７０３に代えて、図１２に示すステップＳ１１０３を実行する。
【００４２】
ＸＬＲケーブル２０６をデータ転送に兼用するには、マイクロフォン２０１の側でも機器との接続を検出する必要がある。そこで、本実施形態では機器側（フィールドレコーダ１０１）に二種類の異なる電圧のファンタム電源を供給可能に構成し、マイクロフォン２０１側はこの＋５Ｖという低電圧が印加されたことを以って、自動設定対応機器が接続されたことを認識する。
【００４３】
本実施形態は以下の応用例が考えられる。
（１）第二の実施形態ではファンタム電源の電圧を二種類用意し、規定の電圧よりも低い電圧をマイクロフォン２０１に与えることで、マイクロフォン２０１側に自動設定対応機器である旨を伝えることを実現している。
自動設定対応機器である旨を伝える、ということは、マイクロフォン２０１と機器との間に双方向通信が実現されればよい、と考えることができる。そこで、ファンタム電源の電圧を変化させる代わりに、ＸＬＲケーブル２０６にモデムを接続して、双方向通信にてマイクロフォン２０１のデータを機器に送信することもできる。この場合、図１１のステップＳ１１０３は、低電圧ファンタム電源を供給する代わりに、マイクロフォン２０１側に搭載されたモデムとのネゴシエーションのための信号を送信することとなる。また、アダプタ９０２ではモデムはホット側ライン２０７及びコールド側ライン２０８に接続することとなる。
【００４４】
（２）第一及び第二の実施形態では、フィールドレコーダを開示したが、本発明が適用される機器はこれに限られない。例えばオーディオミキサーにも適用できる。また、レコーディングスタジオやライブ会場等の施設の壁面等に設置される、ミキシングコンソールに接続されるＸＬＲレセプタクルに、第一及び第二の実施形態に開示したアダプタを組み込むこともできる。
【００４５】
本実施形態ではマイクロフォン２０１及びオーディオ信号処理装置を開示した。
ファンタム電源のオン・オフ、最適な入力インピーダンスの選択、最適なマイクアンプ３０２のゲイン調整という、従来では煩雑なマイクロフォン２０１に関わる諸条件の設定作業が、第一の実施形態では専用のケーブルをマイクロフォン２０１とオーディオ信号処理装置との間に接続するだけで、第二の実施形態では従来と同様にＸＬＲケーブル２０６をマイクロフォン２０１とオーディオ信号処理装置との間に接続するだけで、自動設定が完遂される。本実施形態により簡便且つ迅速に設定が完遂されるだけでなく、設定操作の誤りに起因する機器の破壊を防ぐこともできる。
【００４６】
以上、本発明の実施形態例について説明したが、本発明は上記実施形態例に限定されるものではなく、特許請求の範囲に記載した本発明の要旨を逸脱しない限りにおいて、他の変形例、応用例を含む。
【符号の説明】
【００４７】
１０１…フィールドレコーダ、１０２…アダプタ、１０３…ＸＬＲケーブルコネクタ、１０４…液晶ディスプレイ、１０５…操作ボタン、２０１…マイクロフォン、２０２…マイクユニット、２０３…平衡アンプ、２０６…ＸＬＲケーブル、２０７…ホット側ライン、２０８…コールド側ライン、２１１…データ信号出力部、２１２…ＲＯＭ、２１３…データ信号出力コネクタ、２１４…データ信号入力コネクタ、２１５…ＸＬＲレセプタクル、２１５ａ…ＸＬＲレセプタクル、２１６…ＸＬＲレセプタクル、３０１…インピーダンス切替部、３０２…マイクアンプ、３０３…ファンタム電源切替部、３０４…ゲイン切替部、３０５…データ受信部、３０６…制御部、３０７…接続検出部、３０８…タイマ、３０９…操作部、３１０…表示部、３１１…Ａ／Ｄ変換器、３１２…記録部、４０１…電源供給スイッチ、４０６…切替スイッチ、４０９…切替スイッチ、４１２…切替スイッチ、５０１ａ…筒、５０３…発光ダイオード、５０４…反射板、５０５ａ…フォトトランジスタ、８０１…コンデンサマイクロフォン、８０２…コンデンサマイクユニット、８０３…電圧判定部、９０１…フィールドレコーダ、９０２…アダプタ、９０３…ファンタム電源切替部、１００３…電源切替スイッチ、Ｃ２０４…カップリングコンデンサ、Ｒ２０９…抵抗、Ｒ４０２…抵抗、Ｒ４０４…抵抗、Ｒ４０７…抵抗、Ｒ４１０…抵抗
【図１】
2011101318.tif 000003
【図２】
2011101318.tif 000004
【図３】
2011101318.tif 000005
【図４】
2011101318.tif 000006
【図５】
2011101318.tif 000007
【図６】
2011101318.tif 000008
【図７】
2011101318.tif 000009
【図８】
2011101318.tif 000010
【図９】
2011101318.tif 000011
【図１０】
2011101318.tif 000012
【図１１】
2011101318.tif 000013
【図１２】
2011101318.tif 000014